(57)【要約】【課題】蒸気圧縮式の冷凍サイクルを行う冷媒回路と該冷媒回路を流れる冷媒を過冷却する過冷却回路とを備えた冷凍装置において、上記冷媒回路に接続された第１及び第２利用側熱交換器ごとに高圧冷媒の過冷却度を異ならせることを可能にする。【解決手段】第１高温側流路（14a）が第１枝管（90b）に接続されるとともに第１低温側流路（14b）が過冷却回路（10a）の低圧ライン（7,4）に接続された第１過冷却熱交換器（14）と、第２高温側流路（15a）が第２枝管（90c）に接続されるとともに第２低温側流路（15b）が第１過冷却熱交換器（14）の第１高温側流路（14a）よりも第１利用側熱交換器（62,72）側に位置するように第１枝管（90b）に接続された第２過冷却熱交換器（15）とを過冷却回路（10a）に設ける。【選択図】図１
2010156502.tif 000002
【特許請求の範囲】
【請求項１】
熱源用圧縮機（21）と熱源側熱交換器（22）と第１及び第２利用側熱交換器（52,62,72）とが液側連絡配管（90a,90b,90c）及びガス側連絡配管（92,93）で接続されて蒸気圧縮式の冷凍サイクルを行う冷媒回路（1）と、過冷却用圧縮機（11）が接続されて蒸気圧縮式の冷凍サイクルを行う過冷却回路（10a）とを備えた冷凍装置であって、
上記液側連絡配管（90a,90b,90c）は、上記熱源側熱交換器（22）に接続された本管（90a）と該本管（90a）から一方へ分岐して上記第１利用側熱交換器（62,72）に接続された第１枝管（90b）と該本管（90a）から他方へ分岐して上記第２利用側熱交換器（52）に接続された第２枝管（90c）とで形成される一方、
第１高温側流路（14a）及び第１低温側流路（14b）を有して、上記第１高温側流路（14a）が第１枝管（90b）に接続されるとともに上記第１低温側流路（14b）が上記過冷却回路（10a）の低圧ライン（7,4）に接続された第１過冷却熱交換器（14）と、
第２高温側流路（15a）及び第２低温側流路（15b）を有して、上記第２高温側流路（15a）が第２枝管（90c）に接続されるとともに上記第２低温側流路（15b）が第１過冷却熱交換器（14）の第１高温側流路（14a）よりも第１利用側熱交換器（62,72）側に位置するように上記第１枝管（90b）に接続された第２過冷却熱交換器（15）とが設けられていることを特徴とする冷凍装置。
【請求項２】
請求項１において、
上記冷媒回路（1）には、上記本管（90a）から分岐した分岐配管（3a）に接続された中間圧膨張弁（EV2）と上記熱源用圧縮機（21）における中間圧位置の圧縮室に開口するように形成された中間ポート（45a,45b,45c）とを接続する中間圧ライン（28）と、
第３低温側流路（24b）及び第３高温側流路（24a）を有して上記第３高温側流路（24a）が上記本管（90a）に接続されるとともに上記第３低温側流路（24b）が上記中間圧ライン（28）に接続された第３過冷却熱交換器（24）とが設けられていることを特徴とする冷凍装置。
【請求項３】
請求項１又は２において、
上記第２枝管（90c）には、上記第２過冷却熱交換器（15）の第２高温側流路（15a）をバイパスするバイパス流路（81）と、該バイパス流路（81）を開閉するバイパス弁（82）とが設けられていることを特徴とする冷凍装置。
【請求項４】
請求項１から３の何れか１つにおいて、
上記第２枝管（90c）から延びて上記本管（90a）に接続された暖房用配管（91a）と、
上記第２利用側熱交換器（52）が蒸発器となって冷媒回路（1）が冷凍サイクルを行う冷房運転と上記第２利用側熱交換器（52）が凝縮器となって冷媒回路（1）が冷凍サイクルを行う暖房運転とを切り換える切換手段（26a,26b,26c）と、
上記暖房用配管（91a）に設けられて暖房運転時に第２枝管（90c）から本管（90a）へ向かう冷媒の流れのみを許容して冷房運転時に本管（90a）から第２枝管（90c）へ向かう冷媒の流れのみを禁止する第１開閉手段（CV1a）と、
上記第２枝管（90c）に設けられて冷房運転時に本管（90a）から第２枝管（90c）へ向かう冷媒の流れのみを許容して暖房運転時に本管（90a）と第２枝管（90c）との間の冷媒の流れを禁止する第２開閉手段（CV1b）とを備えていることを特徴とする冷凍装置。
【請求項５】
請求項１から４の何れか１つにおいて、
第１利用側熱交換器（62,72）は、庫内を冷却する冷却用熱交換器で構成され、
第２利用側熱交換器（52）は、室内を空調する空調用熱交換器で構成されていることを特徴とする冷凍装置。
【発明の詳細な説明】
【技術分野】
【０００１】
本発明は、蒸気圧縮式の冷凍サイクルを行う冷媒回路と該冷媒回路を流れる高圧冷媒の過冷却を行う過冷却回路とを備えた冷凍装置に関するものである。
【背景技術】
【０００２】
従来より、蒸気圧縮式の冷凍サイクルを行う冷媒回路と該冷媒回路を流れる高圧冷媒を過冷却する過冷却熱交換器が接続された過冷却回路とを備えた冷凍装置が知られている。
【０００３】
特許文献１の冷凍装置は、コンビニエンスストア等に設置されて、店内の空気調和とショーケース内の冷却とを行うものであり、室外ユニットと空調ユニットと冷蔵ショーケースと冷凍ショーケースと過冷却ユニットとを有している。
【０００４】
上記室外ユニットには室外回路が、上記空調ユニットには空調回路が、上記冷蔵ショーケースには冷蔵回路が、上記冷凍ショーケースには冷凍回路がそれぞれ設けられており、上記室外回路に空調回路と冷蔵回路と冷凍回路とが並列に液側及びガス側の連絡配管で接続されることにより、蒸気圧縮式の冷凍サイクルを行う冷媒回路が構成されている。
【０００５】
ここで、上記液側連絡配管は、上記室外回路の室外熱交換器から延びる本管と、該本管の端部から一方へ分岐して上記冷蔵回路及び上記冷凍回路の冷却用熱交換器に接続された第１枝管と、該本管から他方へ分岐して上記空調回路の空調用熱交換器に接続された第２枝管とを有している。
【０００６】
又、上記過冷却ユニットには、過冷却用圧縮機と過冷却熱交換器とが接続されて蒸気圧縮式の冷凍サイクルを行う過冷却回路が設けられている。ここで、上記過冷却熱交換器は、高温側流路と低温側流路とを有しており、上記高温側流路が上記液側連絡配管の本管に接続されるとともに上記低温側流路が上記過冷却回路の低圧ラインに接続されている。
【０００７】
この構成によれば、上記冷媒回路に設けられた圧縮機を起動すると、該冷媒回路の高圧冷媒が液側連絡配管を経て過冷却熱交換器の高温側流路を流れる。一方、上記過冷却回路に設けられた圧縮機を起動すると、該過冷却回路の低圧冷媒が低圧ラインを経て過冷却熱交換器の低温側流路を流れる。そして、上記過冷却熱交換器において、上記高温側流路を流れる上記冷媒回路の高圧冷媒が、上記低温側流路を流れる上記過冷却回路の低圧冷媒に放熱して冷却される。
【０００８】
この冷却により、過冷却度が大きくなった高圧冷媒が分流して、一部が空調回路へ流れ、残りが冷蔵回路及び冷凍回路へ流れることによって、上記空調回路に接続されて店内の空調を行う空調用熱交換器の冷凍効果、及び上記冷蔵回路及び上記冷凍回路に接続されて庫内の冷却を行う冷却用熱交換器の冷凍効果を大きくすることができる。
【特許文献１】特許３８６１９１２号公報
【発明の開示】
【発明が解決しようとする課題】
【０００９】
ところで、従来の冷凍装置では、上記過冷却熱交換器で上記本管の高圧冷媒を過冷却した後で第１枝管と第２枝管とに分流していた。これにより、第１枝管及び第２枝管を流れる高圧冷媒の過冷却度は同じ値になっていた。
【００１０】
このことから、上記過冷却回路の圧縮機を起動すると、上記空調用熱交換器及び上記冷却用熱交換器の両方の冷凍効果が大きくなってしまう。例えば、上記冷蔵ショーケース及び上記冷凍ショーケースの冷却負荷が現在よりも増加した場合に、上記過冷却回路の圧縮機を起動したとする。上記過冷却回路で第１枝管を流れる高圧冷媒の過冷却度を大きくすることにより、上記冷却用熱交換器の冷凍効果を大きくすることができたとしても、それと同時に、第２枝管を流れる高圧冷媒の過冷却度も大きくなるので、上記空調用熱交換器の冷凍効果まで大きくなってしまう。このときに、必要以上に上記空調用熱交換器の冷凍効果が大きくなり過ぎると、該空調用熱交換器が凍結してしまうことがあり、好ましくない。
【００１１】
本発明は、かかる点に鑑みてなされたものであり、その目的は、蒸気圧縮式の冷凍サイクルを行う冷媒回路と該冷媒回路を流れる冷媒を過冷却する過冷却回路とを備えた冷凍装置において、上記冷媒回路に接続された第１及び第２利用側熱交換器ごとに高圧冷媒の過冷却度を異ならせることを可能にすることにある。
【課題を解決するための手段】
【００１２】
第１の発明は、熱源用圧縮機（21）と熱源側熱交換器（22）と第１及び第２利用側熱交換器（52,62,72）とが液側連絡配管（90a,90b,90c）及びガス側連絡配管（92,93）で接続されて蒸気圧縮式の冷凍サイクルを行う冷媒回路（1）と、過冷却用圧縮機（11）が接続されて蒸気圧縮式の冷凍サイクルを行う過冷却回路（10a）とを備えた冷凍装置を前提としている。
【００１３】
そして、上記冷凍装置において、上記液側連絡配管（90a,90b,90c）は、上記熱源側熱交換器（22）に接続された本管（90a）と該本管（90a）から一方へ分岐して上記第１利用側熱交換器（62,72）に接続された第１枝管（90b）と該本管（90a）から他方へ分岐して上記第２利用側熱交換器（52）に接続された第２枝管（90c）とで形成される一方、上記冷凍装置には、第１高温側流路（14a）及び第１低温側流路（14b）を有して、上記第１高温側流路（14a）が第１枝管（90b）に接続されるとともに上記第１低温側流路（14b）が上記過冷却回路（10a）の低圧ライン（7,4）に接続された第１過冷却熱交換器（14）と、第２高温側流路（15a）及び第２低温側流路（15b）を有して、上記第２高温側流路（15a）が第２枝管（90c）に接続されるとともに上記第２低温側流路（15b）が第１過冷却熱交換器（14）の第１高温側流路（14a）よりも第１利用側熱交換器（62,72）側に位置するように上記第１枝管（90b）に接続された第２過冷却熱交換器（15）とが設けられていることを特徴としている。
【００１４】
ここで、蒸気圧縮式の冷凍サイクルを行う冷媒回路（1）とは、この冷媒回路（1）内に封入された冷媒が該冷媒回路（1）を循環しながら圧縮行程と凝縮行程と膨張行程と蒸発行程とを順に繰り返すサイクルを行うことが可能であって上記各行程を行う構成要素を含むものである。第１の発明における冷媒回路（1）では、上記熱源用圧縮機（21）が上記冷媒回路（1）の圧縮行程を行う構成要素であり、上記利用側熱交換器（52,62,72）が上記冷媒回路（1）の凝縮行程又は蒸発行程を行う構成要素である。
【００１５】
又、蒸気圧縮式の冷凍サイクルを行う過冷却回路（10a）とは、上記冷媒回路（1）と同様に、該過冷却回路（10a）内に封入された冷媒が該過冷却回路（10a）を循環しながら圧縮行程と凝縮行程と膨張行程と蒸発行程とを順に繰り返すサイクルを行うことが可能であるとともに上記各行程を行う構成要素を含むものである。第１の発明の過冷却回路（10a）では、上記過冷却用圧縮機（11）が圧縮行程を行う構成要素である。
【００１６】
又、上記過冷却回路（10a）の低圧ライン（7,4）とは、上記過冷却回路（10a）が行う冷凍サイクルの膨張行程で膨張した後の低圧冷媒が流れる冷媒配管のことである。
【００１７】
第１の発明では、上記液側連絡配管（90a,90b,90c）の本管（90a）から分流した高圧冷媒のうち一部が第１枝管（90b）へ流れ、残りが第２枝管（90c）へ流れる。
【００１８】
第１枝管（90b）の高圧冷媒は、上記第１過冷却熱交換器（14）の第１高温側流路（14a）を通過する際に、第１低温側流路（14b）を流れる過冷却回路（10a）の低圧冷媒へ放熱することにより冷却される。一方、第２枝管（90c）の高圧冷媒は、上記第２過冷却熱交換器（15）の第２高温側流路（15a）を通過する際に、第２低温側流路（15b）を流れる第１枝管（90b）の高圧冷媒、即ち上記第１過冷却熱交換器（14）で冷却された第１枝管（90b）の高圧冷媒へ放熱することにより冷却される。
【００１９】
このように、上記第１過冷却熱交換器（14）で冷却された上記第１枝管（90b）の高圧冷媒を利用して、第２枝管（90c）の高圧冷媒を冷却できるようになる。ここで、上記第１、第２枝管（90a,90b）を流れる高圧冷媒の流量を調整することで、上記第１枝管（90b）の高圧冷媒に対する上記第１過冷却熱交換器（14）の冷却量（熱交換量）を、上記第１枝管（90b）の高圧冷媒に対する上記第２過冷却熱交換器（15）の加熱量（熱交換量）よりも大きく設定することが可能である。
【００２０】
第２の発明は、第１の発明において、上記冷媒回路（1）には、上記本管（90a）から分岐した分岐配管に接続された中間圧膨張弁（EV2）と上記熱源用圧縮機（21）における中間圧位置の圧縮室に開口するように形成された中間ポート（45a,45b,45c）とを接続する中間圧ライン（28）と、第３低温側流路（24b）及び第３高温側流路（24a）を有して上記第３高温側流路（24a）が上記本管（90a）に接続されるとともに上記第３低温側流路（24b）が上記中間圧ライン（28）に接続された第３過冷却熱交換器（24）とが設けられていることを特徴としている。
【００２１】
第２の発明では、上記本管（90a）から上記第３過冷却熱交換器（24）の第３高温側流路（24a）に流入した高圧冷媒は、該第３過冷却熱交換器（24）の第３低温側流路（24b）を流れる減圧冷媒に放熱して冷却される。
【００２２】
ここで、この減圧冷媒は、上記第３高温側流路（24a）から流出した高圧冷媒が分流した後で、上記中間圧膨張弁（EV2）で所定の圧力まで減圧された冷媒のことである。尚、この減圧冷媒は、上記第３過冷却熱交換器（24）の低温側流路（24b）を通過する際に、第３過冷却熱交換器（24）の高温側流路（24a）を流れる高圧冷媒から加熱されて蒸発した後、上記中間圧ライン（28）を経て、上記熱源用圧縮機（21）の圧縮室にインジェクションされる。
【００２３】
第３の発明は、第１又は第２の発明において、上記第２枝管（90c）には、上記第２過冷却熱交換器（15）の第２高温側流路（15a）をバイパスするバイパス流路（81）と、該バイパス流路（81）を開閉するバイパス弁（82）とが設けられていることを特徴としている。
【００２４】
第３の発明では、上記バイパス弁（82）を開くとバイパス流路（81）が開放され、上記第２枝管（90c）の高圧冷媒が、このバイパス流路（81）を経て上記第２利用側熱交換器（52）へ流れる。これにより、上記第２枝管（90c）の高圧冷媒は、第２過冷却熱交換器（15）で冷却されなくなる。
【００２５】
一方、上記バイパス弁（82）を閉じるとバイパス流路（81）が閉鎖され、上記第２枝管（90c）の高圧冷媒が、上記第２過冷却熱交換器（15）の第２高温側流路（15a）へ流れる。そして、該第２高温側流路（15a）を通過する際に、上記第２過冷却熱交換器（15）の第２低温側流路（15b）を流れる低圧冷媒で冷却された後、上記第２利用側熱交換器（52）へ流れる。
【００２６】
第４の発明は、第１から第３の何れか１つの発明において、上記第２枝管（90c）から延びて上記本管（90a）に接続された暖房用配管（91a）と、上記第２利用側熱交換器（52）が蒸発器となって冷媒回路（1）が冷凍サイクルを行う冷房運転と上記第２利用側熱交換器（52）が凝縮器となって冷媒回路（1）が冷凍サイクルを行う暖房運転とを切り換える切換手段（26a,26b,26c）と、上記暖房用配管（91a）に設けられて暖房運転時に第２枝管（90c）から本管（90a）へ向かう冷媒の流れのみを許容して冷房運転時に本管（90a）から第２枝管（90c）へ向かう冷媒の流れのみを禁止する第１開閉手段（CV1a）と、上記第２枝管（90c）に設けられて冷房運転時に本管（90a）から第２枝管（90c）へ向かう冷媒の流れのみを許容して暖房運転時に本管（90a）と第２枝管（90c）との間の冷媒の流れを禁止する第２開閉手段（CV1b）とを備えていることを特徴としている。
【００２７】
第４の発明では、上記冷凍装置が暖房運転に切り換わると、上記第２利用側熱交換器（52）で凝縮した冷媒が、上記第２開閉手段（CV1b）によって第２枝管（90c）から本管（90a）へ向かう冷媒の流れが禁止されるため、上記第２枝管（90c）から上記暖房用配管（91a）に流入する。上記暖房用配管（91a）に流入した冷媒は、第１開閉手段（CV1a）によって第２枝管（90c）から本管（90a）へ向かう冷媒の流れが許可されて、上記本管（90a）に流入する。
【００２８】
上記本管（90a）に流入した冷媒は、上記第２開閉手段（CV1b）によって本管（90a）から第２枝管（90c）へ向かう冷媒の流れが禁止されるため、上記第１枝管（90c）へ流れ、第１過冷却熱交換器（14）を通過する際に冷却される。上記第１過冷却熱交換器（14）で冷却された冷媒は、上記第１枝管（90c）を経て上記第１利用側熱交換器（62,72）に流入し、該第１利用側熱交換器（62,72）で蒸発する。
【００２９】
上記第１利用側熱交換器（62,72）で蒸発した冷媒は、ガス側連絡配管（93）を経て上記熱源用圧縮機（21）に吸入された後で所定圧力まで圧縮されて、該熱源用圧縮機（21）から吐出される。上記熱源用圧縮機（21）から吐出された冷媒は、上記第２利用側熱交換器（52）に流入し、該第２利用側熱交換器（52）で再び凝縮する。
【００３０】
このように、上記冷媒回路（1）を冷媒が循環することにより、暖房運転が行われる。
【００３１】
第５の発明は、第１から第４の何れか１つの発明において、第１利用側熱交換器（62,72）は、庫内を冷却する冷却用熱交換器で構成され、第２利用側熱交換器（52）は、室内を空調する空調用熱交換器で構成されていることを特徴としている。
【００３２】
第５の発明では、上記第１過冷却熱交換器（14）で過冷却回路（10a）の低圧冷媒により冷却された第１枝管（90b）の高圧冷媒が、上記第２過冷却熱交換器（15）で加熱された後に上記冷媒回路（1）の膨張行程により膨張して、上記冷却用熱交換器（62,72）内で庫内空気と熱交換できるようになる。又、上記第２過冷却熱交換器（15）で第１枝管（90b）によって冷却された第２枝管（90c）の高圧冷媒が、上記冷媒回路（1）の膨張行程により膨張した後、上記空調用熱交換器（52）内で室内空気と熱交換できるようになる。
【００３３】
尚、上述したように、上記第１、第２枝管（90a,90b）を流れる高圧冷媒の流量を調整することで、上記第１枝管（90b）の高圧冷媒に対する上記第１過冷却熱交換器（14）の冷却量（熱交換量）を、上記第１枝管（90b）の高圧冷媒に対する上記第２過冷却熱交換器（15）の加熱量（熱交換量）よりも大きく設定できる。こうすると、上記第１利用側回路（60a,70a）に流入する高圧冷媒の過冷却度が上記第２利用側回路（50a）に流入する高圧冷媒の過冷却度よりも大きくなる。
【００３４】
このことから、第５の発明では、過冷却度が大きい高圧冷媒を上記第１利用側回路（60a,70a）の冷却用熱交換器（62,72）へ送り、過冷却度が小さい高圧冷媒を上記第２利用側回路（50a）の空調用熱交換器（52）へ送ることができるようになる。
【発明の効果】
【００３５】
本発明によれば、上記第１過冷却熱交換器（14）で過冷却された上記第１枝管（90b）の高圧冷媒を利用して、第２枝管（90c）の高圧冷媒を過冷却することができる。ここで、上記第１枝管（90b）は、上記第１過冷却熱交換器（14）において上記過冷却回路（10a）の冷媒で冷却され、上記第２過冷却熱交換器（15）において上記第２枝管（90c）の高圧冷媒により加熱される。
【００３６】
ここで、第１、第２枝管（90a,90b）を流れる高圧冷媒の流量を調整することで、上記第１枝管（90b）の高圧冷媒に対する上記第１過冷却熱交換器（14）の冷却量（熱交換量）を、上記第１枝管（90b）の高圧冷媒に対する上記第２過冷却熱交換器（15）の加熱量（熱交換量）よりも大きく設定することが可能となり、第１、第２枝管（90a,90b）を流れる高圧冷媒の冷却量を各枝管（90b,90c）ごとに異ならせることができる。これにより、上記冷媒回路（1）に接続された第１及び第２利用側熱交換器（52,62,72）ごとに高圧冷媒の過冷却度を異ならせることができる。
【００３７】
又、第２の発明によれば、第１枝管（90b）と第２枝管（90c）とに分流する前の高圧冷媒を上記第３過冷却熱交換器（24）で冷却することができる。これにより、第１及び第２利用側熱交換器（52,62,72）へ流れる高圧冷媒の過冷却度を大きくすることができる。
【００３８】
又、第３の発明によれば、上記バイパス弁（82）の開閉動作により、上記第２枝管（90c）の高圧冷媒を、上記第２過冷却熱交換器（15）で冷却したり、該第２過冷却熱交換器（15）をバイパスさせて冷却しないようにしたりすることができる。これにより、上記第１開閉弁（82）の開閉動作で、上記第２枝管（90c）を流れる高圧冷媒の冷却量を容易に変更することができる。
【００３９】
又、第４の発明によれば、冷房運転時に第１及び第２利用側熱交換器（52,62,72）ごとに高圧冷媒の過冷却度を異ならせることが可能な冷凍装置において、上記第２利用側熱交換器（52）を凝縮器とする暖房運転が可能となる。
【００４０】
又、第５の発明によれば、過冷却度が大きい高圧冷媒を上記第１利用側回路（60a,70a）の冷却用熱交換器（62,72）へ送り、過冷却度が小さい高圧冷媒を上記第２利用側回路（50a）の空調用熱交換器（52）へ送ることができる。これにより、庫内を冷却する冷却用熱交換器（62,72）及び室内を空調する空調用熱交換器（52）において、上記冷却用熱交換器（62,72）の方の熱交換量をより多く設定することができる。
【発明を実施するための最良の形態】
【００４１】
以下、本発明の実施形態を図面に基づいて詳細に説明する。
【００４２】
この実施形態の冷凍装置は、図１に示すように、室外ユニット（20）と、室内ユニット（50）と、冷蔵ショーケース（60）と、冷凍ショーケース（70）と、過冷却ユニット（10）とを備えている。そして、上記室外ユニット（20）には室外回路（20a）が設けられている。室内ユニット（50）には、図２に示すように室内回路（50a）が設けられている。冷蔵ショーケース（60）には、図３に示すように冷蔵回路（60a）が設けられている。冷凍ショーケース（70）には冷凍回路（70a）が設けられている。過冷却ユニット（10）には過冷却回路（10a）が設けられている。
【００４３】
この冷凍装置では、各回路（10a,20a,50a,60a,70a）が連絡配管（90〜93）で接続されることにより、蒸気圧縮式冷凍サイクルを行う冷媒回路（1）が構成されている。上記連絡配管（90〜93）は、液側連絡配管（90）と暖房用連絡配管（91）と第１及び第２ガス側連絡配管（92,93）とからなる。
【００４４】
上記液側連絡配管（90）は、上記室外回路（20a）の第２液側閉鎖弁（43d）と上記過冷却回路（10a）の第１、２端（18a,18b）とを接続し、上記過冷却回路（10a）の第３端（18c）と上記室内回路（50a）の液端（56）とを接続し、上記過冷却回路（10a）の４端（18d）と上記冷蔵回路（60a）の液端（65）及び上記冷凍回路（70a）の冷凍用液側閉鎖弁（85）とを接続している。
【００４５】
上記暖房用連絡配管（91）は、上記室外回路（20a）の第１液側閉鎖弁（43c）と上記過冷却回路（10a）の第５端（18e）とを接続している。
【００４６】
上記第１ガス側連絡配管（92）は、上記室外回路（20a）の第２ガス側閉鎖弁（43b）と上記冷蔵回路（60a）のガス端（66）と上記冷凍回路（70a）の冷凍用ガス側閉鎖弁（84）とを接続している。
【００４７】
上記第２ガス側連絡配管（93）は、上記室外回路（20a）の第１ガス側閉鎖弁（43a）と上記室内回路（50a）のガス端（55）とを接続している。
【００４８】
又、上記液側連絡配管（90）における上記過冷却回路（10a）及び上記冷蔵回路（60a）を接続した配管と、上記第１ガス側連絡配管（92）における上記室外回路（20a）及び上記冷蔵回路（60a）を接続した配管とを接続する連絡配管用バイパス配管（94）が設けられている。
【００４９】
この連絡配管用バイパス配管（94）は、上記冷蔵回路（60a）の液封を防止するためのものであり、上記連絡配管用バイパス配管（94）には上記液側連絡配管（90）から上記第１ガス側連絡配管（92）に向かう冷媒の流れのみを許容する向きに逆止弁（CV20）が設けられている。
【００５０】
〈室外ユニット〉
上記室外ユニット（20）の室外回路（20a）には、第１から第３までの３台の圧縮機（21a,21b,21c）からなる圧縮機構（熱源用圧縮機）（21）と、第１から第３までの四路切換弁（26a,26b,26c）と室外熱交換器（22）とレシーバ（23）と室外用過冷却熱交換器（24）と、室外用過冷却減圧弁（中間圧膨張弁）（EV2）と室外膨張弁（EV6）とが設けられている。
【００５１】
全ての圧縮機（21a,21b,21c）は、何れも全密閉式高圧ドーム型のスクロール圧縮機で構成され、上記各圧縮機（21a,21b,21c）には、中間圧位置の圧縮室に開口するように中間ポート（45a,45b,45c）が設けられている。
【００５２】
上記第１圧縮機（21a）の電動機には、該電動機の回転数を所定範囲内で自在に変更可能なインバータが接続されている。このインバータで電動機の回転数を調整することにより、上記第１圧縮機（21a）の運転容量を増減させることができるようになっている。又、上記第２，第３圧縮機（21b,21c）の電動機には、インバータが設けられておらず、該電動機の回転数は固定されている。したがって、上記２，３圧縮機（21b,21c）の運転容量は一定となる。
【００５３】
上記各圧縮機（21a,21b,21c）の吐出側には、吐出管（30a,30b,30c）が接続されている。尚、これらの吐出管（30a,30b,30c）は、吐出合流管（31）の一端で合流している。この吐出合流管（31）の他端は、後述する第１四路切換弁（26a）の第１ポートに接続されている。
【００５４】
上記各吐出管（30a,30b,30c）には、それぞれ油分離器（49a,49b,49c）が接続されている。この油分離器（49a,49b,49c）は、上記圧縮機（21a,21b,21c）から吐出される高圧冷媒から冷凍機油を分離するためのものである。そして、各油分離器（49a,49b,49c）には、冷凍機油を流出するための油流出管（47a,47b,47c）がそれぞれ接続されている。これらの油流出管（47a,47b,47c）は、油流出合流管（44）の一端で合流している。この油流出合流管（44）の他端は、後述するインジェクション配管（中間圧ライン）（28）の途中に接続されている。この油分離器（49a,49b,49c）と油流出管（47a,47b,47c）と油流出合流管（44）とにより、油戻し回路が構成されている。
【００５５】
上記油流出管（47a,47b,47c）には、上記油分離器（49a,49b,49c）から上記油流出合流管（44）へ向かって順に逆止弁（CV5,CV6,CV7）とキャピラリチューブ（48a,48b,48c）とが設けられている。ここで、上記各逆止弁（CV5,CV6,CV7）は、上記油分離器（49a,49b,49c）から油流出合流管（44）へ向かう冷凍機油の流れのみを許容する向きに設けられている。
【００５６】
上記第１から第３までの圧縮機（21a,21b,21c）の吸入側には、吸入管（40a,40b,40c）が接続されている。第１圧縮機（21a）に接続された吸入管（40a）の端部は分岐して、一方が上記第３四路切換弁（26c）の第４ポートに接続され、他方が上記第２ガス側閉鎖弁（43b）に接続されている。又、第２圧縮機（21b）に接続された吸入管（40b）の端部は上記第３四路切換弁（26c）の第２ポートに接続されている。又、第３圧縮機（21c）に接続された吸入管（40c）の端部は分岐して、一方が逆止弁（CV18）を介して上記第３四路切換弁（26c）の第３ポートに接続され、他方が上記第２四路切換弁（26b）の第２ポートに接続されている。
【００５７】
又、第１四路切換弁（26a）は、第２ポートが第２四路切換弁（26b）の第４ポートに、第３ポートが室外熱交換器（22）の一端側に、第４ポートが第１ガス側閉鎖弁（43a）にそれぞれ接続されている。尚、第１四路切換弁（26a）の第１ポートは、上述したように吐出合流管（31）に接続されている。
【００５８】
上記第２四路切換弁（26b）は、第１ポートが吐出合流管（31）に、第３ポートが閉鎖されている。尚、第２四路切換弁（26b）の第２ポートは、上述したように第３圧縮機（21c）の吸入管（40c）に接続され、第２四路切換弁（26b）の第４ポートは、上述したように第１四路切換弁（26a）の第２ポートに接続されている。
【００５９】
上記第３四路切換弁（26c）は、第１ポートが上記第２冷媒配管（42）を介して上記吐出合流管（31）に接続されている。尚、第３四路切換弁（26c）において、上述したように、第２ポートは第２圧縮機（21b）の吸入管（40b）に接続され、第３ポートは第３圧縮機（21c）の吸入管（40c）に接続され、第４ポートは第１圧縮機（21a）の吸入管（40a）にそれぞれ接続されている。
【００６０】
そして、上記各四路切換弁（26a,26b,26c）は、第１ポートおよび第３ポートが互いに連通し且つ第２ポートおよび第４ポートが互いに連通する第１状態（図１に実線で示す状態）と、第１ポートおよび第４ポートが互いに連通し且つ第２ポートおよび第３ポートが互いに連通する第２状態（図１に破線で示す状態）とにそれぞれ切換可能となっている。尚、上記各四路切換弁（26a,26b,26c）が、本発明の切換手段を構成する。
【００６１】
上記室外熱交換器（22）は、クロスフィン式のフィン・アンド・チューブ型熱交換器である。上記室外熱交換器（22）の近傍には、室外ファン（27）が設けられている。そして、上記室外熱交換器（22）は、室外ファン（27）によって送られた屋外の空気と該室外熱交換器（22）内を流れる冷媒とを熱交換するように構成されている。この室外熱交換器（22）の一端には、上述したように第１四路切換弁（26a）の第３ポートに接続され、他端には第３冷媒配管（32）が接続され、該第３冷媒配管（32）の端部は上記レシーバ（23）の頂部に接続されている。ここで、上記第３冷媒配管（32）は、本発明における本管（90a）の一部を構成する。
【００６２】
尚、上記第３冷媒配管（32）には、逆止弁（CV9）と電磁弁（SV1）が設けられており、該逆止弁（CV9）は上記室外熱交換器（22）からレシーバ（23）へ向かう冷媒の流れのみを許容する向きに設けられている。又、上記室外回路（20a）には、上記第３冷媒配管（32）の逆止弁（CV9）と電磁弁（SV1）とをバイパスする第１バイパス配管（39）が設けられている。この第１バイパス配管（39）には、上記レシーバ（23）から上記室外熱交換器（22）へ向かう冷媒の流れのみを許容する向きに逆止弁（CV8）が取り付けられている。
【００６３】
上記レシーバ（23）は、室外熱交換器（22）で凝縮した高圧冷媒を一時的に貯留できるようになっている。また、上記レシーバ（23）の頂部には、電磁弁（SV0）を有するガス抜き管（27）の一端が接続されている。ガス抜き管（27）の他端は、後述するインジェクション配管（28）の途中に接続されている。
【００６４】
上記室外用過冷却熱交換器（24）は、高温側流路（24a）と低温側流路（24b）とを有し、上記高温側流路（24a）及び上記低温側流路（24b）を流れる冷媒同士が熱交換するように構成されている。
【００６５】
上記レシーバ（23）の底部から延びる第４冷媒配管（34）は、上記室外用過冷却熱交換器（24）における高温側流路（24a）の流入端に接続されている。又、上記室外回路（20a)には、上記室外用過冷却熱交換器（24）における高温側流路（24a）の流出端及び上記第２液側閉鎖弁（43d）を接続する第５冷媒配管（35）が設けられている。ここで、上記第４、第５冷媒配管（34,35）が、本発明における本管（90a）の一部を構成する。
【００６６】
又、上記室外回路（20a)には、上記第１液側閉鎖弁（43c）から延びて上記第３冷媒配管（32）における上記レシーバ（23）及び逆止弁（CV9）の間に接続された第７冷媒配管（37）が設けられている。ここで、上記第７冷媒配管（37）が、本発明における本管（90a）の一部を構成する。尚、この第７冷媒配管（37）には、上記第１液側閉鎖弁（43c）から上記第３冷媒配管（32）へ向かう冷媒の流れを許容する向きに逆止弁（CV12）が設けられている。
【００６７】
又、上記室外回路（20a)には、上記第３冷媒配管（32）における上記室外熱交換器（22）及び電磁弁（SV1）の間から延びて上記第５冷媒配管（35）における上記室外用過冷却熱交換器（24）及び上記第２液側閉鎖弁（43d）の間に接続された第８冷媒配管（33）が設けられている。この第８冷媒配管（33）には、上記第３冷媒配管（32）から上記第５冷媒配管（35）へ向かって順に、上記室外膨張弁（EV6）と逆止弁（CV19）とが設けられている。尚、上記逆止弁（CV19）は、上記第５冷媒配管（35）から上記第８冷媒配管（33）へ向かう冷媒の流れのみを許容する向きに取り付けられている。上記室外膨張弁（EV6）は、開度可変な電動弁により構成されている。
【００６８】
又、上記室外回路（20a)には、上記第８冷媒配管（33）における上記室外膨張弁（EV6）及び逆止弁（CV19）の間から延びて上記第３冷媒配管（32）における上記レシーバ（23）及び逆止弁（CV9）の間に接続された第９冷媒配管（38）が設けられている。この第９冷媒配管（38）には、上記第８冷媒配管（33）から上記第３冷媒配管（32）に向かう流れのみを許容する向きに逆止弁（CV10）が接続されている。
【００６９】
上記第５冷媒配管（35）における上記室外用過冷却熱交換器（24）及び上記第２液側閉鎖弁（43d）の間にはインジェクション配管（28）の入口端が接続されている。そして、上記インジェクション配管（28）の出口端は３つに分岐して、その分岐端は各圧縮機（21a,21b,21c）の中間ポート（45a,45b,45c）に接続されている。
【００７０】
ここで、上記インジェクション配管（28）における入口端と分岐部分との間には、該入口端から分岐部分へ向かって順に、上記室外用過冷却減圧弁（EV2）と上記室外用過冷却熱交換器（24）の低温側流路（24b）とが接続されている。又、上記インジェクション配管（28）における分岐部分と各分岐端との間には、流量調整弁（EV3,EV4,EV5）が設けられている。尚、上記流量調整弁（EV3,EV4,EV5）及び上記室外用過冷却減圧弁（EV2）は、それぞれ開度可変な電動弁により構成されている。
【００７１】
上記室外回路（20a）には、各種センサや圧力スイッチが設けられている。具体的に、各吐出管（30a,30b,30c）には、それぞれ吐出管温度センサ（106,107,108）と高圧圧力スイッチ（132,128,129）が設けられている。各吐出管温度センサ（106,107,108）は吐出管（30a,30b,30c）の温度を検出するものであり、高圧圧力スイッチ（132,128,129）は吐出圧力を検出して異常高圧時に冷凍装置を緊急停止させるものである。
【００７２】
上記第１圧縮機（21a）における吸入管（40a）の分岐管（40d）と上記第３圧縮機（21c）の吸入管（40c）とには、それぞれ第１、第２吸入管温度センサ（115,116）が設けられている。上記室外ファン（27）の近傍には、外気温度を検出するための外気温センサ（110）が設けられている。上記インジェクション配管（28）における室外用過冷却熱交換器（24）の低温側流路（24b）の流出端近傍には、インジェクション用温度センサ（112）が設けられている。
【００７３】
上記各吐出管（30a,30b,30c）の合流箇所（即ち、吐出合流管（31）の流入端）には、圧縮機（21a,21b,21c）の吐出圧力を検出するための吐出圧力センサ（109）が設けられている。上記第１圧縮機（21a）における吸入管（40a）の分岐管（40d）には、冷媒の吸入圧力を検出する第１吸入圧力センサ（114）が設けられている。上記第３圧縮機（21c）の吸入管（40c）には、冷媒の吸入圧力を検出する第２吸入圧力センサ（116）が設けられている。又、上記インジェクション配管（28）には、上記室外用過冷却減圧弁（EV2）と上記各流量調整弁（EV3,EV4,EV5）との間の圧力を検知するインジェクション用圧力センサ（113）が設けられている。
【００７４】
〈室内ユニット〉
図２に示すように、上記室内ユニット（50）における室内回路（50a）のガス端（55）から液端（56）に向かって順に室内熱交換器（空調用熱交換器）（52）および室内膨張弁（EV8）が設けられている。上記室内熱交換器（52）は、クロスフィン式のフィン・アンド・チューブ型熱交換器で構成されている。この室内熱交換器（52）では、該室内熱交換器（52）を流れる冷媒と該室内熱交換器（52）の近傍に設けられた室内ファン（54）から該室内熱交換器（52）へ送風される室内空気との間で熱交換が行われ、該室内空気が冷却される。
【００７５】
上記室内膨張弁（EV8）は、開度が調節可能な電動膨張弁で構成されており、上記室内回路（50a）のガス端（55）近傍に設けられた第１室内用冷媒温度センサ（118）の検出温度に応じて、該室内膨張弁（EV8）の開度が調整される。又、上記室内熱交換器（52）における液端（56）寄りの伝熱管に第２室内用冷媒温度センサ（120）が設けられ、上記室内熱交換器（52）の近傍には、店内の空気の温度を検出する室内温度センサ（119）が設けられている。
【００７６】
〈冷蔵ショーケース〉
図３に示すように、上記冷蔵ショーケース（60）における冷蔵回路（60a）の液端（65）からガス端（66）へ向かって順に冷蔵用膨張弁（EV9）及び冷蔵用熱交換器（冷却用熱交換器）（62）が設けられている。冷蔵用熱交換器（62）は、クロスフィン式のフィン・アンド・チューブ型熱交換器で構成されている。この冷蔵用熱交換器（62）では、該冷蔵用熱交換器（62）を流れる冷媒と該冷蔵用熱交換器（62）の近傍に設けられた冷蔵用ファン（64）から該冷蔵用熱交換器（62）へ送風される冷蔵ショーケース（60）内の空気との間で熱交換が行われ、該冷蔵ショーケース（60）内の空気が冷却される。
【００７７】
上記冷蔵用膨張弁（EV9）は、感温式膨張弁で構成されており、上記冷蔵用熱交換器（62）における上記ガス端（66）寄りの伝熱管に該冷蔵用膨張弁（EV9）の感温筒（121）が接続されている。又、上記冷蔵用熱交換器（62）の近傍には、冷蔵庫内の空気の温度を検出する冷蔵用庫内温度センサ（122）が設けられている。
【００７８】
〈冷凍ショーケース〉
図１に示すように、上記冷凍ショーケース（70）の冷凍回路（70a）には、冷凍用過冷却熱交換器（73）と冷凍用熱交換器（冷却用熱交換器）（72）とブースター圧縮機（71）と冷凍用膨張弁（EV10）と第１、第２冷凍用減圧弁（EV11,EV12）とが設けられている。
【００７９】
上記冷凍回路（70a）の冷凍用液側閉鎖弁（85）に接続された第１冷凍用冷媒配管（78）の端部は第１から第４までの分岐端を有している。
【００８０】
上記第１分岐端は、上記冷凍用過冷却熱交換器（73）に設けられた高温側流路（73a）の流入口に接続されている。上記第２分岐端は、該第１冷凍用冷媒配管（78）に接続された逆止弁（CV15）を介して上記ブースター圧縮機（71）の吐出側に接続された吐出配管（76）に接続されている。尚、上記逆止弁（CV15）は、上記第１冷凍用冷媒配管（78）から上記吐出配管（76）へ向かう冷媒の流れのみを許容する向きに取り付けられている。
【００８１】
上記第３分岐端は、上記第１冷凍用減圧弁（EV11）を介して上記ブースター圧縮機（71）の吸入側に接続された吸入配管（86）に接続されている。上記第４分岐端は、上記第２冷凍用減圧弁（EV12）を介して上記冷凍用過冷却熱交換器（73）に設けられた低温側流路（73b）の流入口に接続されている。尚、上記低温側流路（73b）の流出口から延びる冷媒配管は、上記吐出配管（76）の途中に接続されている。
【００８２】
ここで、上記吐出配管（76）の端部は、上記冷凍回路（70a）の冷凍用ガス側閉鎖弁（84）に接続されている。そして、この吐出配管（76）には、油分離器（77）と逆止弁（CV13）とが設けられている。上記油分離器（77）には、その冷凍機油を流出するための油流出配管（79）が接続されている。この油流出配管（79）の一端は上記油分離器（77）の油流出口に、他端はキャピラリチューブ（87）を介して上記吸入配管（86）に接続されている。又、上記逆止弁（CV13）は、該ブースター圧縮機（71）から上記冷凍用ガス側閉鎖弁（84）へ向かう冷媒の流れのみを許容する向きに取り付けられている。
【００８３】
又、上記冷凍用過冷却熱交換器（73）に設けられた高温側流路（73a）の流出口に接続された第２冷凍用冷媒配管（83）の端部は、上記冷凍用膨張弁（EV10）を介して上記冷凍用熱交換器（72）の流入端に接続されている。上記冷凍用熱交換器（72）の流出端は、上記ブースター圧縮機（71）の吸入側から延びる上記吸入配管（86）の端部に接続されている。又、上記冷凍回路（70a）には、上記吐出配管（76）と上記吸入配管（86）とを接続するバイパス配管（75）が設けられている。このバイパス配管（75）には、上記吸入配管（86）から上記吐出配管（76）に向かう冷媒の流れのみを許容する向きに逆止弁（CV14）が設けられている。
【００８４】
上記冷凍用過冷却熱交換器（73）は、上述したように高温側流路（73a）と低温側流路（73b）とを有し、上記高温側流路（73a）及び上記低温側流路（73b）を流れる冷媒同士が熱交換するように構成されている。
【００８５】
上記冷凍用熱交換器（72）は、クロスフィン式のフィン・アンド・チューブ型熱交換器である。上記冷凍用熱交換器（72）の近傍には、冷凍ファン（74）が設けられている。そして、上記冷凍用熱交換器（72）は、冷凍ファン（74）によって送られた室外空気と該冷凍用熱交換器（72）内を流れる冷媒とを熱交換するように構成されている。
【００８６】
上記ブースター圧縮機（71）は、全密閉式高圧ドーム型のスクロール圧縮機で構成している。このブースター圧縮機（71）の電動機には、該電動機の回転数を所定範囲内で自在に変更可能なインバータが接続されている。このインバータにより電動機の回転数を調整して、上記ブースター圧縮機（71）の運転容量を増減させることができる。
【００８７】
上記冷凍用膨張弁（EV10）は、感温式膨張弁で構成されており、上記冷凍用熱交換器（72）における冷媒出口寄りの伝熱管に該冷凍用膨張弁（EV10）の感温筒（123）が接続されている。又、上記第１、第２冷凍用減圧弁（EV11,EV12）は、何れも開度可変な電動弁で構成されている。
【００８８】
上記冷凍回路（70a）には、各種センサや圧力スイッチが設けられている。具体的に、上記吐出配管（76）には、ブースター圧縮機用の吐出管温度センサ（125）とブースター圧縮機用の高圧圧力スイッチ（131）が設けられている。このブースター圧縮機用の吐出管温度センサ（125）は吐出配管（76）の温度を検出するものであり、ブースター圧縮機用の高圧圧力スイッチ（131）は吐出圧力を検出して異常高圧時には冷凍装置を緊急停止させるものである。
【００８９】
又、上記冷凍用過冷却熱交換器（73）における低温側流路（73b）の出口端付近には冷凍用冷媒温度センサ（126）が設けられている。上記吸入配管（86）には、上記ブースター圧縮機（71）の吸入圧力を検知するブースター圧縮機用の吸入圧力センサ（127）が設けられている。又、上記冷凍用熱交換器（72）の近傍には、冷凍庫内の空気の温度を検出する冷凍用庫内温度センサ（124）が設けられている。
【００９０】
〈過冷却ユニット〉
上記過冷却ユニット（10）の過冷却回路（10a）は、蒸気圧縮式の冷凍サイクルを行うように構成されている。
【００９１】
具体的に、上記過冷却回路（10a）には過冷却用圧縮機（11）が接続されている。この過冷却用圧縮機（11）は、室外ユニット（20）の圧縮機（21a,21b,21c）と同様に、全密閉式高圧ドーム型のスクロール圧縮機で構成されている。又、上記過冷却用圧縮機（11）には、該電動機の回転数を所定範囲内で自在に変更可能なインバータ（図示なし）が接続されている。このインバータで電動機の回転数を調整することにより、上記過冷却用圧縮機（11）の運転容量を増減させることができるようになっている。
【００９２】
上記過冷却用圧縮機（11）の吐出側に接続された過冷却回路用吐出配管（2）の端部には凝縮器（12）が接続されている。具体的には、上記過冷却回路用吐出配管（2）の端部は上記凝縮器（12）の流入端に接続されている。ここで、上記過冷却回路用吐出配管（2）には、上記過冷却用圧縮機（11）から凝縮器（12）へ向かう冷媒の流れを許容する向きに逆止弁（CV1）が設けられている。
【００９３】
上記凝縮器（12）は、クロスフィン式のフィン・アンド・チューブ型熱交換器である。上記凝縮器（12）の近傍には、過冷却ユニット用の送風ファン（17）が設けられている。そして、上記凝縮器（12）は、過冷却ユニット用の送風ファン（17）によって送られた屋外空気と該凝縮器（12）内を流れる冷媒とを熱交換するように構成されている。
【００９４】
上記凝縮器（12）の流出端に接続された第１１冷媒配管（3）の端部には過冷却用膨張弁（EV1）が接続されている。この過冷却用膨張弁（EV1）は、開度が調節可能な電動膨張弁で構成されている。
【００９５】
上記過冷却用膨張弁（EV1）の出口側に接続された第１２冷媒配管（7）の端部は、第１過冷却熱交換器（14）の第１低温側流路（14b）に接続されている。この第１過冷却熱交換器（14）は、上述した第１低温側流路（14b）とは別に第１高温側流路（14a）を有し、上記第１高温側流路（14a）及び第１低温側流路（14b）を流れる冷媒同士が熱交換できるように構成されている。ここで、上記過冷却回路（10a）には、該過冷却回路（10a）の第２端（18b）と第４端（18d）とを繋ぐ第１接続配管（19a）が設けられており、この第１接続配管（19a）に上記第１過冷却熱交換器（14）の第１高温側流路（14a）が連通している。ここで、上記第１接続配管（19a）は、本発明における第１枝管（90b）の一部を構成する。
【００９６】
そして、上記第１過冷却熱交換器（14）における第１低温側流路（14b）の出口側に接続された第１３冷媒配管（4）の端部は、上記過冷却用圧縮機（11）の吸入口に接続されている。
【００９７】
又、上記過冷却回路（10a）には、第２過冷却熱交換器（15）が接続されている。この過冷却回路（10a）は、第２高温側流路（15a）と第２低温側流路（15b）とを有し、上記第２高温側流路（15a）及び第２低温側流路（15b）を流れる冷媒同士が熱交換できるように構成されている。
【００９８】
上記第２高温側流路（15a）は、上記過冷却回路（10a）の第１端（18a）と第３端（18c）とを繋ぐ第２接続配管（19b）に接続されており、上記第２低温側流路（15b）は上記第１接続配管（19a）に接続されている。尚、上記第２接続配管（19b）は、本発明における第２枝管（90c）の一部を構成する。
【００９９】
上記第２接続配管（19b）には、第２過冷却熱交換器（15）の第２高温側流路（15a）をバイパスするバイパス配管 （バイパス流路）（81）と、該バイパス配管 （81）を開閉する電磁弁（第１開閉弁）（82）とが接続されている。
【０１００】
又、上記過冷却回路（10a）には、上記第２接続配管（19b）におけるバイパス配管 （81）の接続端と上記過冷却回路（10a）の第３端（18c）との間から延びて上記過冷却回路（10a）の第５端（18e）に接続された第３接続配管（19c）が設けられている。尚、上記第３接続配管（19c）は、本発明における暖房用配管（91a）の一部を構成する。
【０１０１】
又、上記第３接続配管（19c）には、上記過冷却回路（10a）の第３端（18c）から第５端（18e）へ向かう冷媒の流れを許容する向きに逆止弁（第１開閉手段）（CV1a）が取り付けられている。上記第２接続配管（19b）には、上記過冷却回路（10a）の第１端（18a）から第３端（18e）へ向かう冷媒の流れを許容する向きに逆止弁（第１開閉手段）（CV2a）が取り付けられている。
【０１０２】
上記過冷却回路（10a）には、各種センサや圧力スイッチが設けられている。具体的に、上記過冷却回路用吐出配管（2）には、過冷却回路用吐出管温度センサ（100）が設けられている。この過冷却回路用吐出管温度センサ（100）は上記過冷却回路用吐出配管（2）の温度を検出するものである。
【０１０３】
上記第１４冷媒配管（4）には、上記過冷却用圧縮機（11）の吸入口寄りに過冷却回路用吸入温度センサ（101）と過冷却回路用吸入圧力センサ（99）が設けられている。上記過冷却ユニット用の送風ファン（17）の近傍には、外気温度を検出するための外気温センサ（105）が設けられている。
【０１０４】
上記第１接続配管（19b）における第１過冷却熱交換器（14）の第１高温側流路（14a）の流出端近傍には、第１液温度センサ（102）が設けられ、上記第２接続配管（19a）における第２過冷却熱交換器（15）の第２高温側流路（15a）の流出端近傍には、第２液温度センサ（103）が設けられている。
【０１０５】
又、上記第１５冷媒配管（5）における第２過冷却熱交換器（15）の第２低温側流路（15b）の流出端近傍には、中間液温度センサ（104）が設けられている。
【０１０６】
−運転動作−
上記冷凍装置は、冷蔵ショーケース（60）及び冷凍ショーケース（70）の内部を冷却するとともに室内ユニット（50）で店内を冷房する冷房運転と、冷蔵ショーケース（60）及び冷凍ショーケース（70）の内部を冷却するとともに室内ユニット（50）で店内を暖房する暖房運転とが切換可能に構成されている。
【０１０７】
〈冷房運転〉
上記冷房運転時の冷媒の流れを図４に示す。この冷房運転では、全ての四路切換弁（26a,26b,26c）が第１状態に設定される。また、室外膨張弁（EV6）が全閉状態に設定される。さらに、室内膨張弁（EV8）、冷蔵用膨張弁（EV9）および冷凍用膨張弁（EV10）の開度がそれぞれ適宜調節される。又、４台のファン（27,54,64,74）と３台の圧縮機（21a,21b,21c）とブースター圧縮機（71）とがそれぞれ運転状態となる。
【０１０８】
又、上記過冷却ユニット（10）において、上記過冷却用膨張弁（EV1）及び上記中間圧膨張弁（EV2）の開度が適宜調節され、上記過冷却用圧縮機（11）と上記過冷却ユニット用の送風ファン（17）とが適宜運転状態となる。尚、この過冷却ユニット（10）の運転動作は後述する。
【０１０９】
上記第１、第２、第３圧縮機（21a,21b,21c）で所定の圧力まで圧縮された各高圧ガス冷媒は、各圧縮機（21a,21b,21c）から吐出される。各圧縮機（21a,21b,21c）から吐出された高圧ガス冷媒は、それぞれ各吐出管（30a,30b,30c）を通過した後、各油分離器（49a,49b,49c）に流入する。該各油分離器（49a,49b,49c）では、高圧ガス冷媒から冷凍機油が分離される。この分離した冷凍機油は、一旦各油分離器（49a,49b,49c）内に貯留された後、各油流出管（47a,47b,47c）および油流出合流管（44）を経てインジェクション配管（28）へ流入する。
【０１１０】
上記インジェクション配管（28）に流入した冷凍機油は、該インジェクション配管（28）を流れる冷媒と一旦合流した後で分流し、各流量調整弁（EV3,EV4,EV5）を通過した後、各圧縮機（21a,21b,21c）の中間ポート（45a,45b,45c）を介して中間圧位置の圧縮室に吸入される。一方、冷凍機油が分離された高圧ガス冷媒は、各油分離器（49a,49b,49c）を流出した後、上記吐出合流管（31）で合流する。上記吐出合流管（31）で合流した高圧ガス冷媒は、上記第１、第２四路切換弁（26a,26b）を経て室外熱交換器（22）へ流入する。
【０１１１】
上記室外熱交換器（22）では、高圧ガス冷媒が屋外空気に放熱して凝縮し、高圧冷媒となる。この高圧冷媒は、上記第３冷媒配管（32）を経て上記レシーバ（23）に流入する。
【０１１２】
上記レシーバ（23）では、高圧冷媒が一時的に貯留された後、レシーバ（23）から流出する。上記レシーバ（23）から流出した高圧冷媒は、上記第４冷媒配管（34）に流入した後で室外用過冷却熱交換器（24）の高温側流路（24a）に流入する。
【０１１３】
又、上記レシーバ（23）に接続されたガス抜き管（27）の電磁弁（SV0）が開状態の場合には、上記レシーバ（23）内の高圧ガス冷媒が上記ガス抜き管（27）を経て上記インジェクション配管（28）へ流れる。
【０１１４】
上記室外用過冷却熱交換器（24）の高温側流路（24a）に流入した高圧冷媒は、該室外用過冷却熱交換器（24）の低温側流路（24b）を流れる減圧冷媒に放熱して冷却された後、該高温側流路（24a）を流出する。この冷却により、上記高圧冷媒の過冷却度が大きくなる。上記高温側流路（24a）を流出した高圧冷媒は、上記第５冷媒配管（35）を経て分流し、一方が上記インジェクション配管（28）に流入し、他方が上記第２液側閉鎖弁（43d）を通過して上記室外回路（20a）を流出した後、上記液側連絡配管（90）に流入する。
【０１１５】
ここで、上記インジェクション配管（28）に流入した高圧冷媒は、上記室外用過冷却減圧弁（EV2）で所定の圧力まで減圧されて減圧冷媒となった後、上記室外用過冷却熱交換器（24）の低温側流路（24b）に流入する。そして、この減圧冷媒は、上記室外用過冷却熱交換器（24）の低温側流路（24b）を通過する際に、室外用過冷却熱交換器（24）の高温側流路（24a）を流れる高圧冷媒から吸熱して加熱される。この加熱により、上記減圧冷媒は蒸発する。
【０１１６】
この蒸発した減圧冷媒は分流し、各流量調整弁（EV3,EV4,EV5）を通過する際に、その流量が調整される。そして、各流量調整弁（EV3,EV4,EV5）で流量調整された減圧冷媒は、各圧縮機（21a,21b,21c）における中間圧位置の圧縮室にインジェクションされる。
【０１１７】
尚、上記室外用過冷却減圧弁（EV2）の開度は、上記インジェクション用温度センサ（112）の検出温度が所定の温度に近づくように調整される。又、各流量調整弁（EV3,EV4,EV5）の開度は、各流量調整弁（EV3,EV4,EV5）に対応する各圧縮機（21a,21b,21c）の吐出管（30a,30b,30c）に設けられた吐出管温度センサ（106,107,108）の検出温度が所定の温度に近づくように調整される。
【０１１８】
上記液側連絡配管（90）に流入した高圧冷媒は分流して、一部が上記過冷却回路（10a）の第１端（18a）から該過冷却回路（10a）に流入し、残りが上記過冷却回路（10a）の第２端（18b）から該過冷却回路（10a）に流入する。
【０１１９】
上記過冷却回路（10a）の第１端（18a）を通過した高圧冷媒は上記第２接続配管（19b）に流入する。上記バイパス弁（82）が閉設定の場合には、上記第２接続配管（19b）に流入した高圧冷媒は、上記逆止弁（CV1b）を経て、上記第２過冷却熱交換器（15）の第２高温側流路（15a）に流入する。該第２高温側流路（15a）に流入した高圧冷媒は、上記第２過冷却熱交換器（15）の第２低温側流路（15b）を流れる高圧冷媒（第１過冷却熱交換器（14）で冷却された高圧冷媒）に放熱して冷却された後、上記第２高温側流路（15a）を流出する。この冷却により、上記高圧冷媒の過冷却度が大きくなる。
【０１２０】
そして、過冷却度が大きくなった高圧冷媒は、上記第２接続配管（19b）を経て、上記過冷却回路（10a）の第３端（18c）から該過冷却回路（10a）を流出する。ここで、上記第２高温側流路（15a）を流出した高圧冷媒が上記第２接続配管（19b）から上記第３接続配管（19c）の方へ分流しないのは、上記室外回路（20a）の第７冷媒配管（97）に設けられた逆止弁（CV12）の下流側に上記室外熱交換器（22）から流出した高圧冷媒の圧力がかかり、上記逆止弁（CV12）を閉鎖しているからである。
【０１２１】
一方、上記バイパス弁（82）が開設定の場合には、上記第２接続配管（19b）に流入した高圧冷媒は、上記第２過冷却熱交換器（15）の第２高温側流路（15a）の方へ流れずに上記バイパス配管（82）の方へ流れ、第２接続配管（19b）を経て、上記過冷却回路（10a）の第３端（18c）から該過冷却回路（10a）を流出する。
【０１２２】
一方、上記過冷却回路（10a）の第２端（18b）を通過した高圧冷媒は上記第１接続配管（19a）に流入する。上記第１接続配管（19a）に流入した高圧冷媒は、上記第１過冷却熱交換器（14）の第１高温側流路（14a）に流入する。該第１高温側流路（14a）に流入した高圧冷媒は、上記第１過冷却熱交換器（14）の第１低温側流路（14b）を流れる低圧冷媒（上記過冷却用膨張弁（EV1）で減圧された低圧冷媒）に放熱して冷却された後、上記第１高温側流路（14a）を流出する。この冷却により、上記高圧冷媒の過冷却度が大きくなる。上記第１高温側流路（14a）を流出した高圧冷媒は、上記第２過冷却熱交換器（15）の第２低温側流路（15b）に流入する。該第２低温側流路（15b）に流入した高圧冷媒は、上記第２過冷却熱交換器（15）の第２高温側流路（15a）を流れる高圧冷媒（上記第２接続配管（19b）を通過した高圧冷媒）から吸熱して加熱された後、上記第２低温側流路（15b）を流出する。この加熱により、上記高圧冷媒の過冷却度が若干小さくなる。
【０１２３】
尚、この冷凍装置では、上記第１接続配管（19a）を通過した高圧冷媒において、上記第１過冷却熱交換器（14）での冷却量は、上記第２過冷却熱交換器（15）での加熱量よりも大きくなるように、上記過冷却用圧縮機（11）の運転容量と上記過冷却用膨張弁（EV1）の開度とが調整される。
【０１２４】
そして、上記第１、第２過冷却熱交換器（14,15）で、結果的に過冷却度が大きくなった高圧冷媒は、上記過冷却回路（10a）の第４端（18d）から該過冷却回路（10a）を流出する。
【０１２５】
上記過冷却回路（10a）を流出した高圧冷媒のうち、上記第４端（18d）から流出した高圧冷媒は分流して、一方が上記冷蔵回路（60a）の液端（65）から該冷蔵回路（60a）へ流入し、他方が上記冷凍回路（70a）の冷凍用液側閉鎖弁（85）から該冷凍回路（70a）へ流入する。
【０１２６】
上記冷蔵回路（60a）に流入した高圧冷媒は、上記冷蔵用膨張弁（EV9）で所定の圧力まで減圧されて低圧冷媒になった後、上記冷蔵用熱交換器（62）へ流れる。上記冷蔵用熱交換器（62）では、その低圧冷媒が冷蔵ショーケース（60）内の空気から吸熱して蒸発する。このときの低圧冷媒の蒸発温度は、−１０℃程度である。そして、この低圧冷媒の蒸発により、冷蔵ショーケース（60）内の冷却が行われる。上記冷蔵用熱交換器（62）で蒸発した冷媒は、上記冷蔵回路（60a）のガス端（66）を経て、該冷蔵回路（60a）を流出する。
【０１２７】
一方、上記冷凍回路（70a）に流入した高圧冷媒は、上記第１冷凍用冷媒配管（78）を経て、４つに分流する。
【０１２８】
上記第１冷凍用冷媒配管（78）の第１分岐端から流出した高圧冷媒は、該冷凍用過冷却熱交換器（73）の低温側流路（73b）を流れる減圧冷媒に放熱して冷却される。この冷却により、上記高圧冷媒の過冷却度が大きくなる。上記高温側流路（73a）を流出した高圧冷媒は、上記第２冷凍用冷媒配管（83）を経て、上記冷凍用膨張弁（EV10）で所定の圧力まで減圧されて低圧冷媒になった後、上記冷凍用熱交換器（72）へ流入する。上記冷凍用熱交換器（72）へ流入した低圧冷媒は、冷凍ショーケース（70）内の空気から吸熱して蒸発した後、該冷凍用熱交換器（72）を流出する。ここで、上記低圧冷媒の蒸発温度は、−４０℃程度であり、この低圧冷媒の蒸発により、冷凍ショーケース（70）内の冷却が行われる。そして、上記冷凍用熱交換器（72）を流出した低圧冷媒は、上記吸入配管（86）を経て、上記ブースター圧縮機（71）に吸入される。
【０１２９】
上記ブースター圧縮機（71）に吸入された低圧冷媒は、所定の圧力まで圧縮された後、該ブースター圧縮機（71）から吐出され、上記吐出配管（76）及び上記冷凍回路（70a）の冷凍用ガス側閉鎖弁（84）を経て、該冷凍回路（70a）から流出する。
【０１３０】
又、上記第１冷凍用冷媒配管（78）の第２分岐端から流出した高圧冷媒は、例えば上記ブースター圧縮機（71）が停止している場合、又は上記ブースター圧縮機（71）の吐出冷媒圧力が上記第２分岐端から流出した高圧冷媒の圧力よりも低い場合には、上記逆止弁（CV15）を通過して、上記吐出配管（76）に流入する。そして、上記吐出配管（76）に流入した高圧冷媒は、場合によっては、上記ブースター圧縮機（71）から吐出された冷媒と合流した後、上記冷凍回路（70a）の冷凍用ガス側閉鎖弁（84）を経て、該冷凍回路（70a）から流出する。
【０１３１】
又、上記第１冷凍用冷媒配管（78）の第３分岐端から流出した高圧冷媒は、上記第１冷凍用減圧弁（EV11）に流入し、所定の圧力まで減圧されて減圧冷媒となった後、該第１冷凍用減圧弁（EV11）を流出する。そして、上記第１冷凍用減圧弁（EV11）を流出した減圧冷媒は、上記吸入配管（86）にインジェクションされて上記冷凍用熱交換器（72）から流れてきた低圧冷媒と合流した後、その合流後の冷媒が上記ブースター圧縮機（71）に吸入される。尚、上記第１冷凍用減圧弁（EV11）の開度は、上記吸入圧力センサ（127）の検出圧力値が所定の値よりも低くならないように調整される。
【０１３２】
又、上記第１冷凍用冷媒配管（78）の第４分岐端から流出した高圧冷媒は、上記第２冷凍用減圧弁（EV12）に流入し、所定の圧力まで減圧されて減圧冷媒となった後、該第２冷凍用減圧弁（EV12）を流出する。そして、上記第２冷凍用減圧弁（EV12）を流出した減圧冷媒は、上記冷凍用過冷却熱交換器（73）の低温側流路（73b）を通過する。この通過の際に、上記減圧冷媒は該冷凍用過冷却熱交換器（73）の高温側流路（73a）を流れる高圧冷媒から吸熱して加熱される。この加熱により、上記減圧冷媒は蒸発する。そして、この蒸発した減圧冷媒は上記吐出配管（76）にインジェクションされて、上記ブースター圧縮機（71）から吐出された冷媒と合流した後、上記冷凍回路（70a）の冷凍用ガス側閉鎖弁（84）を経て、該冷凍回路（70a）から流出する。尚、上記第２冷凍用減圧弁（EV12）の開度は、上記冷凍用冷媒温度センサ（126）の検出温度が所定の値よりも高くならないように調整される。
【０１３３】
上記冷蔵回路（60a）から流出した低圧冷媒と上記冷凍回路（70a）から流出した低圧冷媒とが上記第１ガス側連絡配管（92）で合流した後、その合流後の低圧冷媒が上記室外回路（20a）の第２ガス側閉鎖弁（43b）から該室外回路（20a）に流入する。
【０１３４】
一方、上記過冷却回路（10a）を流出した高圧冷媒のうち、上記第３端（18c）から流出した高圧冷媒は上記室内回路（50a）の液端（56）から該室内回路（50a）へ流入する。
【０１３５】
上記室内回路（50a）に流入した高圧冷媒は、上記室内膨張弁（EV8）で所定の圧力まで減圧されて低圧冷媒になった後、上記室内熱交換器（52）へ流れる。上記室内熱交換器（52）では、その低圧冷媒が店内の空気から吸熱して蒸発する。このときの低圧冷媒の蒸発温度は、５℃程度である。そして、この低圧冷媒の蒸発により、店内の冷房が行われる。上記室内熱交換器（52）で蒸発した冷媒は、上記室内回路（50a）のガス端（55）を経て、該室内回路（50a）を流出する。尚、上記室内膨張弁（EV8）の開度は、上記第１室内用冷媒温度センサ（118）の検出温度が所定の値に近づくように調整される。
【０１３６】
上記室内回路（50a）から流出した低圧冷媒は上記第２ガス側連絡配管（93）を通過した後、上記室外回路（20a）の第１ガス側閉鎖弁（43a）から該室外回路（20a）に流入する。
【０１３７】
上記室外回路（20a）において、上記第１ガス側閉鎖弁（43a）から流入した低圧冷媒は、上記第１冷媒配管（41）及び第１及び第２四路切換弁（26a,26b）を通過した後、上記第３圧縮機（21c）の吸入管（40c）から上記第３圧縮機（21c）に吸入される。上記第３圧縮機（21c）に吸入された低圧冷媒は、その圧縮途中で上記中間ポート（45a,45b,45c）から中間圧冷媒がインジェクションされながら、所定の圧力まで圧縮されて高圧冷媒となり、上記第３圧縮機（21c）から再び吐出される。
【０１３８】
又、上記第２ガス側閉鎖弁（43b）から流入した低圧冷媒は、上記第１圧縮機（21a）における吸入管（40a）の分岐管（40d）を経て、一部が上記第１圧縮機（21a）の吸入管（40a）から上記第１圧縮機（21a）に吸入され、残りが逆止弁（CV17）と第３四路切換弁（26c）とを経て、上記第２圧縮機（21b）の吸入管（40b）から上記第２圧縮機（21b）に吸入される。上記第１，２圧縮機（21a,21b）に吸入された各低圧冷媒は、その圧縮途中で各中間ポート（45a,45b,45c）から中間圧冷媒がインジェクションされながら、所定の圧力まで圧縮されて高圧ガス冷媒となり、上記第１，２圧縮機（21a,21b）から再び吐出される。
【０１３９】
このように、上記冷凍装置では、冷媒が冷媒回路（1）を循環することにより、冷房運転が行われ、冷蔵ショーケース（60）及び冷凍ショーケース（70）の内部を冷却するとともに、室内ユニット（50）で店内を冷房する。
【０１４０】
尚、第２圧縮機（21b）は、冷蔵ショーケース（60）及び冷凍ショーケース（70）から流出した冷媒を吸入するために用いられているが、全ての四路切換弁（26a,26b,26c）のうちの第３四路切換弁（26c）のみを第２状態に切り換えることにより、該第２圧縮機（21b）を室内ユニット（50）から流出した冷媒を吸入するために用いることができる。
【０１４１】
〈過冷却回路の運転動作〉
上記過冷却用圧縮機（11）で所定の圧力まで圧縮された高圧ガス冷媒は、上記過冷却回路用吐出配管（2）を経て、凝縮器（12）に流入する。上記凝縮器（12）では、高圧ガス冷媒が屋外空気に放熱して凝縮し、高圧冷媒となる。この高圧冷媒は、凝縮器（12）から流出した後で第１１冷媒配管（3）を経て、過冷却用膨張弁（EV1）に流入する。
【０１４２】
上記過冷却用膨張弁（EV1）に流入した高圧冷媒は、所定の圧力まで減圧されて低圧冷媒となった後で該過冷却用膨張弁（EV1）を流出し、上記第１過冷却熱交換器（14）の第１低温側流路（14b）に流入する。この第１低温側流路（14b）に流入した低圧冷媒は、第１高温側流路（14a）の高圧冷媒から吸熱して蒸発した後で該第１低温側流路（14b）を流出する。
【０１４３】
上記第１低温側流路（14b）を流出した低圧冷媒は、上記過冷却用圧縮機（11）に吸入されて、所定の圧力まで圧縮されて高圧冷媒となり、該過冷却用圧縮機（11）から吐出される。そして、上記過冷却用圧縮機（11）から吐出された高圧冷媒は、再び上記過冷却回路用吐出配管（2）を経て、凝縮器（12）に流入する。
【０１４４】
このように、上記過冷却回路（10a）内を冷媒が循環することにより、第１過冷却熱交換器（14）の第１高温側流路（14a）を流れる高圧冷媒が冷却される。
【０１４５】
〈暖房運転〉
上記暖房運転では、上記第１四路切換弁（26a）のみが第２状態に設定される。また、室外膨張弁（EV6）の開度が全閉状態に設定される。さらに、室内膨張弁（EV8）、冷蔵用膨張弁（EV9）および冷凍用膨張弁（EV10）の開度がそれぞれ適宜調節される。又、室外ファン（27）を除く３台のファン（54,64,74）と３台の圧縮機（21a,21b,21c）とブースター圧縮機（71）とがそれぞれ運転状態となる。
【０１４６】
又、上記過冷却ユニット（10）において、上記中間圧膨張弁（EV2）の開度が全閉状態に設定される。又、上記過冷却用膨張弁（EV1）の開度が適宜調節され、上記過冷却用圧縮機（11）と上記過冷却ユニット用の送風ファン（17）とが適宜運転状態となる。尚、この過冷却ユニット（10）の運転動作は、冷房運転時と同様のため、説明は省略する。
【０１４７】
上記第１、第２、第３圧縮機（21a,21b,21c）で所定の圧力まで圧縮された各高圧ガス冷媒は、各圧縮機（21a,21b,21c）から吐出される。各圧縮機（21a,21b,21c）から吐出された高圧ガス冷媒は、それぞれ各吐出管（30a,30b,30c）を通過した後、各油分離器（49a,49b,49c）に流入する。該各油分離器（49a,49b,49c）では、高圧ガス冷媒から冷凍機油が分離される。
【０１４８】
各油分離器（49a,49b,49c）で分離された冷凍機油が各圧縮機（21a,21b,21c）の吸入側へ戻る冷凍機油の流れは、冷房運転時と同じ流れであるため、説明は省略する。
【０１４９】
上記各油分離器（49a,49b,49c）を流出した高圧ガス冷媒は、上記吐出合流管（31）で合流する。上記吐出合流管（31）で合流した高圧ガス冷媒は、上記第１四路切換弁（26a）と上記第１冷媒配管（41）とを経て、上記第１ガス側閉鎖弁（43a）を通過して上記室外回路（20a）を流出する。
【０１５０】
上記室外回路（20a）を流出した高圧ガス冷媒は、上記第２ガス側連絡配管（93）を経て、上記室内回路（50a）のガス端（55）から該室内回路（50a）に流入する。上記室内回路（50a）に流入した高圧ガス冷媒は上記室内熱交換器（52）に流入する。上記室内熱交換器（52）では、高圧ガス冷媒が室内空気に放熱して凝縮し、液相又は二相状態の高圧冷媒となり室内熱交換器（52）を流出する。ここで、上記室内空気は、この高圧ガス冷媒の凝縮熱を吸収して加熱される。これにより、室内が暖房される。
【０１５１】
上記室内熱交換器（52）を流出した高圧冷媒は、上記室内膨張弁（EV8）に流入し、所定の圧力まで減圧されて中間圧冷媒となった後、該室内膨張弁（EV8）を流出する。上記室内膨張弁（EV8）を流出した中間圧冷媒は、上記室内回路（50a）の液端（56）を通過して、該室内回路（50a）を流出する。
【０１５２】
上記室内回路（50a）を流出した中間圧冷媒は、上記液側連絡配管（90）を通過して、上記過冷却回路（10a）の第３端（18c）から該過冷却回路（10a）に流入した後、上記第２接続配管（19a）に流入し、該第２接続配管（19a）の途中から第３接続配管（19c）の方へ流れる。上記第３接続配管（19c）の方へ流れた中間圧冷媒は、逆止弁（CV1a）を経て、上記過冷却回路（10a）の第５端（18e）から該過冷却回路（10a）を流出する。
【０１５３】
上記過冷却回路（10a）を流出した中間圧冷媒は、上記暖房用連絡配管（91）を経て、上記第１液側閉鎖弁（43c）から上記室外回路（20a）に流入し、上記第７冷媒配管（37）を通過して、上記レシーバ（23）に流入する。上記レシーバ（23）では、中間圧冷媒が一時的に貯留された後、レシーバ（23）から流出する。上記レシーバ（23）から流出した中間圧冷媒が、上記第２液側閉鎖弁（43d）を通過して上記室外回路（20a）から流出するまでの冷媒の流れは冷房運転時と同様であるため、説明は省略する。
【０１５４】
上記室外回路（20a）を流出した中間圧冷媒は、上記液側連絡配管（90）に流入した後、冷房運転時とは違い、第１接続配管（19a）と第２接続配管（19b）とに分流せずに第１接続配管（19a）の方へのみ流れる。ここで、上記中間圧冷媒が第２接続配管（19b）の方へ分流しないのは、上記第２接続配管（19b）に設けられた逆止弁（CV1b）の下流側に上記過冷却回路（10c）の第３端（18c）から流入した中間圧冷媒の圧力がかかり、上記逆止弁（CV1b）を閉鎖しているからである。
【０１５５】
上記第１接続配管（19a）の方へ流れた中間圧冷媒は、上記第１過冷却熱交換器（14）の第１高温側流路（14a）に流入する。該第１高温側流路（14a）に流入した中間圧冷媒は、上記第１過冷却熱交換器（14）の第１低温側流路（14b）を流れる低圧冷媒（上記過冷却用膨張弁（EV1）で減圧された低圧冷媒）に放熱して冷却された後、上記第１高温側流路（14a）を流出する。この冷却により、上記高圧冷媒の過冷却度が大きくなる。
【０１５６】
上記第１高温側流路（14a）を流出した中間圧冷媒は、上記第２過冷却熱交換器（15）の第２低温側流路（15b）で熱交換されることなく通過した後で、上記過冷却回路（10a）の第４端（18d）から該過冷却回路（10a）を流出する。上記過冷却回路（10a）から流出した冷媒が、最終的に上記室外回路（20a）の第１，２圧縮機（21a,21b）に吸入されるまでの流れは冷房運転時と同様であるので、説明は省略する。
【０１５７】
このように、上記冷凍装置では、冷媒が冷媒回路（1）を循環することにより、暖房運転が行われ、冷蔵ショーケース（60）及び冷凍ショーケース（70）の内部を冷却するとともに、室内ユニット（50）で店内を暖房する。
【０１５８】
尚、上記第１四路切換弁（26a）の他に、上記第２四路切換弁（26b）を第２状態に設定すると、上記各圧縮機（21a,21b,21c）から吐出された高圧冷媒を上記室内熱交換器（52）と上記熱源側熱交換器（22）とに分流させることができる。この運転は、上記冷蔵ショーケース（60）及び冷凍ショーケース（70）の冷却負荷が高くなり、高圧冷媒を上記室内熱交換器（52）だけで凝縮できない場合に有効である。
【０１５９】
−実施形態の効果−
本実施形態によれば、上記第１過冷却熱交換器（14）で過冷却された上記第１枝管（90b）の高圧冷媒を利用して、第２枝管（90c）の高圧冷媒を過冷却することができる。ここで、上記第１枝管（90b）は、上記第１過冷却熱交換器（14）において上記過冷却回路（10a）の冷媒で冷却され、上記第２過冷却熱交換器（15）において上記第２枝管（90c）の高圧冷媒により加熱される。
【０１６０】
このときに、上記第１、第２枝管（90a,90b）を流れる高圧冷媒の流量を調整することで、上記第１枝管（90b）の高圧冷媒に対する上記第１過冷却熱交換器（14）の冷却量（熱交換量）を、上記第１枝管（90b）の高圧冷媒に対する上記第２過冷却熱交換器（15）の加熱量（熱交換量）よりも大きく設定することが可能となり、第１、第２枝管（90a,90b）を流れる高圧冷媒の冷却量を各枝管（90b,90c）ごとに異ならせることができる。これにより、上記冷媒回路（1）に接続された冷蔵用熱交換器（62）及び冷凍用熱交換器（72）と室内熱交換器（52）との間で高圧冷媒の過冷却度を異ならせることができる。
【０１６１】
又、過冷却度が大きい高圧冷媒を上記冷蔵用熱交換器（62）及び冷凍用熱交換器（72）へ送り、過冷却度が小さい高圧冷媒を室内熱交換器（52）へ送ることができる。これにより、庫内を冷却する冷蔵用熱交換器（62）及び冷凍用熱交換器（72）と室内を空調する室内熱交換器（52）とにおいて、上記冷蔵用熱交換器（62）及び冷凍用熱交換器（72）の方の熱交換量を上記室内熱交換器（52）よりも多く設定することができる。
【０１６２】
又、本実施形態によれば、第１枝管（90b）と第２枝管（90c）とに分流する前の高圧冷媒を上記室外用過冷却熱交換器（24）で冷却することができる。これにより、冷蔵用熱交換器（62）及び冷凍用熱交換器（72）と室内熱交換器（52）とへ流れる高圧冷媒の過冷却度を大きくすることができる。
【０１６３】
又、本実施形態によれば、上記バイパス弁（82）の開閉動作により、上記第２枝管（90c）の高圧冷媒を、上記第２過冷却熱交換器（15）で冷却したり、該第２過冷却熱交換器（15）をバイパスさせて冷却しないようにしたりすることができる。これにより、上記バイパス弁（82）の開閉動作で、上記第２枝管（90c）を流れる高圧冷媒の冷却量を容易に変更することができる。
【０１６４】
又、本実施形態によれば、冷房運転時に冷蔵用熱交換器（62）及び冷凍用熱交換器（72）と室内熱交換器（52）との間で高圧冷媒の過冷却度を異ならせることが可能な冷凍装置において、上記室外回路（20a）に第１から第３までの四路切換弁（26a,26b,26c）を設け、上記過冷却回路（10a）に上記暖房用連絡配管（91）と２つの逆止弁（CV1a,CV1b）とを設けることにより、上記室内熱交換器（52）を凝縮器とする暖房運転が可能となる。
【０１６５】
なお、以上の実施形態は、本質的に好ましい例示であって、本発明、その適用物、あるいはその用途の範囲を制限することを意図するものではない。
【産業上の利用可能性】
【０１６６】
以上説明したように、本発明は、蒸気圧縮式の冷凍サイクルを行う冷媒回路と該冷媒回路を流れる高圧冷媒の過冷却を行う過冷却回路とを備えた冷凍装置について有用である。
【図面の簡単な説明】
【０１６７】
【図１】本実施形態に係る冷凍装置の冷媒回路図である。
【図２】本実施形態に係る冷凍装置の室内回路の冷媒回路図である。
【図３】本実施形態に係る冷凍装置の冷蔵回路の冷媒回路図である。
【図４】本実施形態に係る冷凍装置の冷房運転時における冷媒流れを示す冷媒回路図である。
【図５】本実施形態に係る冷凍装置の暖房運転時における冷媒流れを示す冷媒回路図である。
【符号の説明】
【０１６８】
1             冷媒回路
10a           過冷却回路
11            過冷却用圧縮機
14            第１過冷却熱交換器
15            第２過冷却熱交換器
20            室外ユニット
50            室内ユニット
60            冷蔵ショーケース
70            冷凍ショーケース
90a           本管
90b           第１枝管
90c           第２枝管
【図１】
2010156502.tif 000003
【図２】
2010156502.tif 000004
【図３】
2010156502.tif 000005
【図４】
2010156502.tif 000006
【図５】
2010156502.tif 000007